(57)【特許請求の範囲】
【請求項１】
境界に沿って設置し塀を形成する本体と、塀の内側面に設ける区画墓とから成り、
本体は上下方向の壁体と、壁体の下部にて塀の内側方にのみ張り出して、地盤面下に埋設される底板とが一体となって、ほぼＬ字型の縦断面形状を有しており、
区画墓は、骨つぼを納めるカロウトと、埋葬対象を記録する墓碑部とを有しており、
カロウトを設置するためのカロウト設置部を底板上方の壁体の地上部に設けるとともに、墓碑部を取り付けるための墓碑部設置部をカロウト設置部の上位の壁体に設けて構成し、
前記カロウトと前記カロウト設置部、前記墓碑部と前記墓碑部設置部とは、それぞれが凹凸構造にて相互に嵌合するように構成されている塀を利用した区画墓地。
【請求項２】
少なくとも本体はプレキャストコンクリートより成り、一区画ごとの本体を境界に沿って複数個並設し、塀を構築するように構成されている
請求項１記載の塀を利用した区画墓地。
【請求項３】
カロウトは、本体と係合する仕切りによって左右を仕切るように構成されている
請求項１または２記載の塀を利用した区画墓地。
【請求項４】
本体は一区画に相当する正面形状を有しており、複数個の本体が並設された状態において隣接する本体同士が上部にて結合部材によって結合されている
請求項１ないし３のいずれかに記載の塀を利用した区画墓地。
【発明の詳細な説明】
【技術分野】
【０００１】
本発明は、塀を利用した区画墓地に関するものである。
【背景技術】
【０００２】
墓は、これまで墓地にあって、家ごとに代々継承されるという社会システムにより運営されて来た。しかし、昨今の小家族化の進行やさらには少子化によって、継承者がいないという問題が起っている。このため、継承者を必要とせず寺院が供養と管理を行なう、永代供養墓という形式の墓が登場した。
【０００３】
管理主体ごとに墓を見ると寺院墓地、公営墓地、民間（私営）墓地に大別される。永代供養簿に限らず、購入者からするとアクセスの良さ、価格、維持・管理経費等の条件が重要であるが、これらの条件を満たす墓地の少ないことは当然予測されることである。このため、都市部においては寺院墓地を有効に活用すること、地方においては寺院と墓地の間の移動距離を短縮することなどが望まれる。
【０００４】
その結果、余剰空間を利用する墓地が開発され、提供されるようになってきた。例えば実開昭６１−１１５４５６号は基礎部分を含む塀体内に納骨庫を組み込んだ納骨塀の発明を提案している。この発明の場合、塀が薄いため納骨庫を厚みのある地下の基部に設けている。これでは塀の中に全てを設けなければならず、厚みが納骨庫の大きさに制限されるなど、幾つかの問題が生じる。
【０００５】
一方、実開昭６２−１２６４６２号は柱及び梁材を平板上の枠体に組み立て、その外周面にラスを貼り付け、ラス表面をモルタルで覆って壁体を形成しこの壁体をコンクリート基礎により支え、壁体の表面に墓碑を取り付けその下位にカロウトを設けている。この発明ではコンクリート基礎が逆Ｔ字型のため境界の手前に設置する必要があり、また、基礎上に壁体を継ぎ足し、しかも、それが連続しているので区画ごとにカロウトと墓碑を設置しなければならず、施工にも時間が掛かるという問題がある。
【０００６】
【特許文献１】実開昭６１−１１５４５６号
【特許文献２】実開昭６２−１２６４６２号
【発明の開示】
【発明が解決しようとする課題】
【０００７】
本発明は前記の点に鑑みなされたもので、その課題は、塀を利用した区画墓地を提供するに当たり、敷地を有効に利用して、容易に施工することができ、しかも、境界の長短に応じて塀の長さを容易に調節し、省スペース、かつ、低価格化を実現可能にすることである。また、本発明の他の課題は、構成部材のプレキャスト化により規格、寸法等が統一された区画墓地を提供することである。
【課題を解決するための手段】
【０００８】
前記の課題を解決するため、本発明は、境界に沿って設置し塀を形成する本体と、塀の内側面に設ける区画墓とから成り、本体は上下方向の壁体と、壁体の下部にて塀の内側方にのみ張り出した底板とが一体となりほぼＬ字型の縦断面形状を有するとともに、一区画に相当する正面形状を有しており、区画墓は、骨つぼを納めるカロウトと、埋葬対象を記録する墓碑部とを有しており、カロウトを取り付けるためのカロウト設置部を底板上方の壁体の地上部に設けるとともに、墓碑部を取り付けるための墓碑部設置部をカロウト設置部の上位の壁体に設けて構成するという手段を講じたものである。なお、カロウトはかろうど（唐櫃）とも言い、国語辞書では墓石の下に設けた石室と定義されているが、本発明では骨つぼを納める部分の意味で用いている。
【０００９】
本発明の塀を利用した区画墓地は、塀を構成する本体と、塀の内側面に設ける区画墓とから成っており、区画墓は本体を構成する壁体の内側の面に設けられる。本体は、壁体の下部にて塀の内側方にのみ張り出した底板が一体となったほぼＬ字型の縦断面形状を有する。逆Ｔ字型ではなく、壁体を境界線ぎりぎりに設置できるので、敷地の有効利用が図れる。
【００１０】
本体は、一区画に相当する正面形状を有している。このため、一区画だけでも複数区画でも、任意の個数から成る墓地を容易に形成することができる。区画墓地の数は、例えば塀の長さに応じて任意の個数だけ形成することができる。
【００１１】
区画墓は、骨つぼを納めるカロウトと、埋葬対象を記録する墓碑部とを有しており、カロウトを取り付けるためのカロウト設置部を底板上方の壁体の地上部に設けるとともに、墓碑部を取り付けるための墓碑部設置部をカロウト設置部の上位の壁体に設けている。上記カロウトとカロウト設置部、墓碑部と墓碑部設置部のそれぞれが凹凸構造にて相互に嵌合するように構成することで、塀を利用した区画墓地の施工作業をより容易化することができる。
【００１２】
このように、少なくとも本体がプレキャストコンクリートより成り、一区画ごとの本体を境界に沿って複数個並設し、塀を構築するようにすることは、本発明にとって非常に有効な構成である。本体以外の要素、例えば納骨部など、人眼に付き難い部分についてもプレキャストコンクリート製品を使用し得る。また、区画墓は本体と係合する一区画ごとの仕切りによって、少なくともカロウトの左右を仕切ることができる。
【００１３】
また、本体は一区画に相当する正面形状を有しており、複数個の本体が並設された状態において隣接する本体同士を上部にて結合部材によって結合することが望ましい。上記結合部材は、笠石などの形態を取ることができる。
【発明の効果】
【００１４】
本発明は以上のように構成され、かつ、作用するものであるから、塀を利用した区画墓地について、敷地を一段と有効に利用することができるとともに、境界の長短に応じて塀の長さを任意に調節し、しかも、省スペース化を実現することができるという効果を奏する。また、本発明によれば、構成部材のプレキャスト化により規格、寸法等が統一され、施工性の著しい容易化が図られ、かつ、低価格に区画墓地を提供することができる。
【図面の簡単な説明】
【００１５】
【図１】本発明に係る塀を利用した区画墓地の一例として一部を分解して示す斜視図である。
【図２】図１におけるＩＩ−ＩＩ線部分の縦断面図である。
【図３】同じく一区画の塀を利用した区画墓地を示す斜視図とＡ部の拡大図である。
【図４】同じく一区画の塀を利用した区画墓地を示す平面説明図である。
【図５】同じく正面説明図である。
【発明を実施するための最良の形態】
【００１６】
以下図示の実施形態を参照して本発明をより詳細に説明する。図１は本発明に係る塀を利用した区画墓地の一例であり、地上部分のみを示している。図１、図３におけるＧ、図２におけるＧＬは単に地盤面を示すもので、図の平面形状、広さが本発明に必要というわけではない。また、地盤という文言は文字通り地面を含むほか、地面に舗装等が施工された面を含む。
【００１７】
本発明に係る塀を利用した区画墓地１０は、境界に沿って設置する本体１１が基本となるものである。本体１１は塀Ｗを形成する上下方向の壁体１２と、壁体１２の下部にて塀Ｗの内側方にのみ張り出し、地盤面下に埋設される底板１３とが一体となったもので、ほぼＬ字型の縦断面形状を有している（図２参照）。
【００１８】
底板１３は壁体１２の下部にて塀の内側方にのみ張り出すＬ字型の形態を有するので、塀を境界線ぎりぎりに設置することができる。また、底板１３は壁体１２を安定して支えられるように十分大型に形成するとともに、埋設しただけで安全に自立するように設計される。なお、本体１１は公知の基礎工事により境界に沿って設置され、底板１３は地盤面下に埋設される。
【００１９】
上記本体１１は、一区画をなすように形成されたプレキャストコンクリートから成る。本体１１は上記ほぼＬ字型の形態を持ったコンクリートブロックであり、工場生産が可能である。すなわち、実施形態における本体１１は、工場生産を前提に規格、寸法等の統一が図られた製品として設計され、製造された製品ブロックは施工現場に運搬し、施工に供される。よって、現場打ちで行なわれる従来の工事と比較して、期間、コスト等を著しく軽減することができる。
【００２０】
本体１１は、塀の内側面に設ける上述の区画墓１５を具備している。区画墓１５は、少なくとも骨つぼＰを納めるカロウト１４と、埋葬対象を記録する墓碑部１６とを有して構成されている。区画墓１５もプレキャストコンクリート製品を使用し得るが、墓碑部１６は石材パネルを用いることが望ましい。一区画ごとの本体１１と区画墓１５は、区画墓地１０を構成する。区画墓１５の荷重は塀の内側方にのみ掛かるので、安定性の向上に寄与する。
【００２１】
カロウト１４は前蓋１７により前部を囲まれ、上蓋１８により上部を囲まれ、下面は下板１９により囲まれ、背面は壁体１２により囲まれている。よって、前蓋１７と上蓋１８及び底板１９などには石材パネルを用いる。前蓋１７には開口１７ｂが設けられており、用意された小蓋１７ａをそこに着脱し、骨つぼＰを納め、また取り出せるようになっている。なお、前蓋１７はコ字型の平面形状にも形成することができる（図３参照）。
【００２２】
側面は左右の仕切り２０Ｌ、２０Ｒによって囲まれている。この仕切り２０Ｌ、２０Ｒは壁体１２の下部に形成された係合部１２ａと係合して配置され、一区画ごとに左右を仕切るものである。しかし、本発明では、境界に沿って設置された本体の１１一区画ごとにカロウト１４を複数個並設する。このため、或る区画の左仕切りは隣の区画の右仕切りを兼ねることがある。
【００２３】
このようなカロウト１４には、その上蓋１８の上位に花、線香盆２１を設けられるが、高さ調節のために調節ブロック２２を使用することができる。この調節ブロック２２及び線香盆２１の上位には、埋葬対象を記録する墓碑部１６が取り付けられる。墓碑部１６は表面に、例えば埋葬者や家名等を記録するもので、墓碑にふさわしい外観、意匠をもって形成される板状の部材から成る。符号２３は壁体１２の内側表面を覆う化粧板であり、石材パネルによって形成される。
【００２４】
上記カロウト１４はカロウト設置部２４ｂに、墓碑部１６は墓碑部設置部２４ａに、それぞれが凹凸構造にて相互に嵌合するように構成されている。このため、カロウト１４及び墓碑部１６の本体１１に対する位置決めを正確かつ速やかに行なうことができる。実施形態におけるカロウト設置部２４ｂと墓碑部設置部２４ａとは上下に連続して設けられ、カロウト１４と墓碑部１６及び化粧板２３などは接着等任意の固定手段によって、本体側に固定されている。
【００２５】
また、本体１１は境界に沿って設置し塀を形成するために、下部において底板１３を土中に埋設する一方、上部では複数個の本体１１が並設された状態において隣接する本体同士を結合手段２５によって結合するものとする。結合手段２５は、結合部材２６を、隣接する本体同士にまたがって配置するもので、以下のように構成される。
【００２６】
結合部材２６は笠石の形態を取り、上下に貫通するボルト孔２７が複数箇所開けられている。また、壁体１２の上端には埋め込みアンカーが他方の締結手段２８として設けられており、一方の締結手段２９であるボルトを用いて結合部材２６の笠石が本体１１にボルト止めされる（図３参照）。なお、上記ボルト孔２７のピッチと、締結手段２８のピッチとは等しく設定されている（図４、図５参照）。
【００２７】
笠石を兼ねる結合部材２６自体も、連結部３０によって連結される。連結部３０は結合部材２６を連結するために２か所のボルト孔３１ａを有する連結片３１、一方の連結手段３２のボルトと、それを螺合させるために結合部材上面に形成した他方の連結手段３３の埋め込みアンカーとから構成されている。笠石の端面には凹部が設けられ、そこに嵌め込むピン３４によって位置決めされる。上記結合部材２６についてもプレキャスト製品を使用し得る。
【００２８】
本発明は上記のように構成されており、さらに、笠石を兼ねる結合部材２６の上に、瓦葺きを模した飾り屋根３５を設けても良い。本発明によれば、寺院や墓地等の境界に沿って塀を形成することにより、同時に、区画墓地１０を設置できるので、従来は境界上の構造物に過ぎなかった塀に墓地の機能を付加することができる。本体１１と結合部材２６及びカロウト１４の一部についてはプレキャストコンクリート製品を使用することができ、特に、墓碑部１６、化粧板２３及びカロウト１４の一部については石材パネルを用いて仕上げられるので、墓地としての品位も十分に保たれる。また、本発明の場合、多数の墓碑部２４を一定間隔で配列するので、管理が容易であるとともに、スペースの有効利用が可能になり、永代供養墓に適した墓地といえる。
【符号の説明】
【００２９】
１０  塀を利用した区画墓地
１１  本体
１２  壁体
１３  底板
１４  カロウト
１５  区画墓
１６  墓碑部
２０Ｌ、２０Ｒ  仕切り
２１  線香盆
２２  調節ブロック
２３  化粧板
２４ａ  墓碑部設置部、２４ｂ  カロウト設置部
２５  結合手段
２６  結合部材
２８、２９  締結手段
３０  連結部
３１  連結片
３２、３３  連結手段
【図１】
0006290113.tif 000002
【図２】
0006290113.tif 000003
【図３】
0006290113.tif 000004
【図４】
0006290113.tif 000005
【図５】
0006290113.tif 000006